(57)【特許請求の範囲】
【請求項１】
デジタルアンプと出力部品とからなる出力装置に用いられ、前記出力部品の入力側に挿入される２つのコモンモードチョークコイルに分離可能なコモンモードチョーク複合体において、前記コモンモードチョーク複合体は２つのコアと前記コアのそれぞれの外周に形成された２本の巻線を有する巻線部よりなり、前記コアまたは前記巻線部の少なくとも一方を移動可能とすることにより前記コアを開磁路または閉磁路の構造とするとともに、前記巻線の巻始めと巻終わりを短絡または開放して前記２つのコモンモードチョークコイルが電気的に分離された状態または電気的に結合された状態の両状態を選択可能とするように構成したことを特徴とするコモンモードチョーク複合体。
【請求項２】
前記コアのみが移動可能であることを特徴とする請求項１記載のコモンモードチョーク複合体。
【請求項３】
前記コア及び前記巻線部の両方が移動可能であることを特徴とする請求項１記載のコモンモードチョーク複合体。
【請求項４】
デジタルアンプと出力部品とからなる出力装置に用いられ、前記出力部品の入力側に挿入される２つのコモンモードチョークコイルに分離可能なコモンモードチョーク複合体において、前記コモンモードチョーク複合体は２つのコアと前記コアのそれぞれの外周に形成された２本の巻線を有する巻線部と前記コアに磁気的に結合可能な共通コア部よりなり、前記共通コア部を移動可能とすることにより前記コアと前記共通コア部を開磁路または閉磁路の構造とするとともに、前記巻線の巻始めと巻終わりを短絡または開放して前記２つのコモンモードチョークコイルと前記共通コア部が電気的に分離された状態または電気的に結合された状態の両状態を選択可能とするように構成したことを特徴とするコモンモードチョーク複合体。
【請求項５】
前記コアまたは前記共通コア部は非磁性体と磁性体を組み合わせて構成されていることを特徴とする請求項１から４のいずれか１項記載のコモンモードチョーク複合体。
【請求項６】
前記コアまたは前記共通コア部の形状がトロイダルリング状であることを特徴とする請求項５記載のコモンモードチョーク複合体。
【請求項７】
前記共通コア部が円柱形状であり、少なくともその両端部分においてその中心軸と並行な面により３分割され、その中央部分が磁性体、その両側が非磁性体であることを特徴とする請求項４記載のコモンモードチョーク複合体。
【請求項８】
前記共通コア部が円柱形状であり、少なくともその両端部分においてその中心軸と並行な面により５分割され、その中央部分が磁性体、その両側が非磁性体、その外側が磁性体であり、前記２つのコモンモードチョークコイルが電気的に分離された状態ではそれぞれのコモンモードチョークコイルのコアが閉磁路を構成することを特徴とする請求項４記載のコモンモードチョーク複合体。
【請求項９】
請求項１乃至８のいずれか１項に記載のコモンモードチョーク複合体を有することを特
徴とする出力装置。
【発明の詳細な説明】
【技術分野】
【０００１】
本発明は、デジタルアンプ出力段に使用するコモンモードチョーク複合体及びこのコモンモードチョーク複合体を有する出力装置に関し、特にスピーカなどの出力部品の接続方式を変換可能なコモンモードチョーク複合体及びそれを使用した出力装置に関する。
【背景技術】
【０００２】
デジタルアンプによりスピーカなどの出力部品を駆動する場合、接続方式としては下記非特許文献１に示されるように、ＳＥＰＰ（Single-Ended-Push-Pull）接続とＢＴＬ（Bridge-Tied-Load）接続が用いられる。また、スピーカの入力側にはコモンモードノイズ吸収用にコモンモードチョークコイルが挿入される。
【０００３】
ＳＥＰＰ接続方式のデジタルアンプによる出力装置の２チャンネル分の基本回路図を図３３に示す。デジタルアンプ１，２の出力段には、夫々コモンモードノイズ吸収用にコモンモードチョークコイル３，４を有している。インダクタＬ１、コンデンサＣ１及びインダクタＬ２、コンデンサＣ２は、それぞれデジタルアンプ１，２の出力段に設けられたローパスフィルタを構成する。６，７は負荷スピーカである。１つのアンプで１つの負荷スピーカを駆動するのがＳＥＰＰ接続方式である。コモンモードチョークコイルは、各チャンネルにつき１つ必要である。
【０００４】
上記デジタルアンプ１，２を用いてＢＴＬ接続方式の出力装置の１チャンネル分を構成した場合の回路図を図３４に示す。２台のデジタルアンプ１，２で１つの負荷スピーカ８を駆動するのがＢＴＬ接続方式である。出力段にはコモンモードチョークコイル５を１つ有し、インダクタＬ１、コンデンサＣ１及びインダクタＬ２、コンデンサＣ２は、デジタルアンプ１，２の出力段に設けられたローパスフィルタを構成する。ＢＴＬ接続方式の理論上の実効出力はＳＥＰＰ接続方式の４倍である。出力経路に流れる電流はＳＥＰＰ接続方式の２倍となるため、コモンモードチョークコイル５はコモンモードチョークコイル３、４よりも電流容量が２倍のものを選定する必要がある。
【０００５】
【非特許文献１】新日本無線NJU8711アプリケーションノートVer.2003-09-18
【発明の開示】
【発明が解決しようとする課題】
【０００６】
例えば、回路基板の共通化のため、ＳＥＰＰ接続方式による２チャンネル分の出力装置の回路及びＢＴＬ接続方式による１チャンネル分の出力装置の回路を同一基板上で構成し電気的に切替えて使用しようとする場合、図３５に示すように、ＳＥＰＰ接続方式２チャンネル用コモンモードチョークコイルを２つ、ＢＴＬ接続方式１チャンネル用コモンモードチョークコイル１つをそれぞれ実装する必要があるので、部品点数の増加により製造工数が増加し、かつ実装面積も増大するという問題があった。また、ＳＥＰＰ接続方式からＢＴＬ接続方式に切替えた時には、コモンモードチョークコイル３，４が不要となって無駄になる上に、使用していない回路パターンがオープンとなり、このオープンパターンがアンテナとなって不要輻射が発生するという問題があった。
【０００７】
また、例えば同様に基板を共通化する目的で、図３６に示すように、同一基板上にＳＥＰＰ接続方式出力装置２チャンネルまたはＢＴＬ接続方式出力装置１チャンネルを実装可能な回路基板構成とした場合は、ＳＥＰＰ接続方式の時はコモンモードチョークコイル３，４及び負荷スピーカ６，７を実装し、ＢＴＬ接続方式の時はコモンモードチョークコイル５及び負荷スピーカ８を実装する必要があり、出力装置の製造過程において接続方式によって部品を付替えする必要があり、生産管理工数が増えるという問題があった。また、図３５の場合と同様に、不使用パターンがオープンとなり、このオープンパターンがアンテナとなって不要輻射が発生するという問題があった。
【０００８】
そこで、本発明の課題は、デジタルアンプを使用した出力装置において上記のような問題を解決するため、接続方式をＳＥＰＰ接続またはＢＴＬ接続に切り替え可能で、部品点数の削減、実装面積の削減、製造工数の削減及び生産管理工数の削減が可能で、かつ不使用オープンパターンによる不要輻射を防止することができるコモンモードチョーク複合体及び出力装置を提供することを目的とする。
【課題を解決するための手段】
【０００９】
上記課題を達成するために、本発明のコモンモードチョーク複合体は、デジタルアンプと出力部品とからなる出力装置に用いられ、前記出力部品の入力側に挿入される２つのコモンモードチョークコイルに分離可能なコモンモードチョーク複合体において、前記コモンモードチョーク複合体は２つのコアと前記コアのそれぞれの外周に形成された２本の巻線を有する巻線部よりなり、前記コアまたは前記巻線部の少なくとも一方を移動可能とすることにより前記コアを開磁路または閉磁路の構造とするとともに、前記巻線の巻始めと巻終わりを短絡または開放して前記２つのコモンモードチョークコイルが電気的に分離された状態または電気的に結合された状態の両状態を選択可能とするように構成している。
【００１０】
ここで、前記コアのみが移動可能であってもよいし、前記コア及び前記巻線部の両方が移動可能であってもよい。
【００１１】
また、本発明のコモンモードチョーク複合体は、デジタルアンプと出力部品とからなる出力装置に用いられ、前記出力部品の入力側に挿入される２つのコモンモードチョークコイルに分離可能なコモンモードチョーク複合体において、前記コモンモードチョーク複合体は２つのコアと前記コアのそれぞれの外周に形成された２本の巻線を有する巻線部と前記コアに磁気的に結合可能な共通コア部よりなり、前記共通コア部を移動可能とすることにより前記コアと前記共通コア部を開磁路または閉磁路の構造とするとともに、前記巻線の巻始めと巻終わりを短絡または開放して前記２つのコモンモードチョークコイルと前記共通コア部が電気的に分離された状態または電気的に結合された状態の両状態を選択可能とするように構成している。
【００１２】
ここで、前記コアまたは前記共通コア部は非磁性体と磁性体を組み合わせて構成されていてもよい。
【００１３】
また、前記コアまたは前記共通コア部の形状がトロイダルリング状であってもよい。
【００１４】
また、前記共通コア部が円柱形状であり、少なくともその両端部分においてその中心軸と並行な面により３分割され、その中央部分が磁性体、その両側が非磁性体であってもよい。
【００１５】
また、前記共通コア部が円柱形状であり、少なくともその両端部分においてその中心軸と並行な面により５分割され、その中央部分が磁性体、その両側が非磁性体、その外側が磁性体であり、前記２つのコモンモードチョークコイルが電気的に分離された状態では、それぞれのコモンモードチョークコイルのコアが閉磁路を構成してもよい。
【００１６】
本発明の出力装置は上記のいずれかに記載のコモンモードチョーク複合体を有している。
【発明の効果】
【００１７】
本発明によれば、デジタルアンプを用いてＳＥＰＰ接続方式とＢＴＬ接続方式を同一基板上に構成可能とした出力装置において、出力部に上記のように電気的に結合された状態または電気的に分離された状態の両状態を選択可能な２つのコモンモードチョークコイルを使用することにしたので、従来のようにＳＥＰＰ接続方式とＢＴＬ接続方式を切替える際にＳＥＰＰ接続方式用コモンモードチョークコイル２つとＢＴＬ接続方式用コモンモードチョークコイル１つをそれぞれ別個に必要とせず、部品点数削減、製造工数削減、実装面積削減ができる。また、不使用パターンが生じないため、不使用パターンによる不要輻射を防止することができる。
【００１８】
また、従来のように接続方式の違いを共通の基板を用いて構成する場合にコモンモードチョークコイル及び負荷スピーカを夫々個別に実装する必要がなくなり、アンプの製造過程において接続方式によって部品を付替えする必要がないので、生産管理工数が削減できる。また、不使用パターンが生じないため、不使用パターンによる不要輻射を防止することができる。
【発明を実施するための最良の形態】
【００１９】
以下、図面を参照して本発明の実施例について説明する。
【実施例１】
【００２０】
図１は、本発明によるコモンモードチョークコイルの第１の実施例を示す外観の斜視図である。図１は、出力装置に使用される２つのコモンモードチョークコイルを示し、コ字型のコア９，１０にそれぞれボビン１１，１２が装着されて２つのコモンモードチョークコイルを構成する。ボビン１１には、２本の銅線１３，１４が２本同時に同一巻方向に巻線されている。ボビン１２には、２本の銅線１５，１６が２本同時に同一巻方向に巻線されている。図１において符号に−１を付加して表示しているのは各銅線の巻始めを示し、符号に−２を付加して表示しているのは各銅線の巻終りを示す。これら２つのコイルを用いて、コアを移動させ、かつ、銅線の接続方法を変えることにより２つのコモンモードチョークコイルを電気的に分離された状態または電気的に結合された状態としてＳＥＰＰ接続方式とＢＴＬ接続方式とに夫々適合するコモンモードチョークコイルを得ることができる。
【００２１】
図２に、図１に示した２つのコイルを用いてＢＴＬ接続方式に適合するコモンモードチョークコイル２１（図４参照）を構成した場合、すなわちホビン１１とホビン１２からなる２つのコモンモードチョークコイルを電気的に結合した状態としたときの外観の斜視図を示す。２つのコ字型のコア９，１０のそれぞれのコア断面１７とコア断面１９、コア断面１８とコア断面２０をそれぞれ互いに接合させることにより、コア９とコア１０によりロの字型の閉磁路コア構造が構成されている。図３は、図２に示すコモンモードチョークコイルの回路図を示し、図４は、図２に示すコモンモードチョークコイルを使用したＢＴＬ接続方式の出力装置の回路図を示す。
【００２２】
ここで、図４に示すように、ＢＴＬ接続方式時には、２本の銅線１３，１４の巻始め１３−１及び１４−１と巻終り１３−２及び１４−２、銅線１５，１６の巻始め１５−１及び１６−１と巻終り１５−２及び１６−２を夫々短絡させ（図１参照）、電流容量を単一のコモンモードチョークコイルの２倍とし、かつ２つが結合され１つのコモンモードチョークコイル２１が構成されるようにしている。このコモンモードチョークコイル２１を、図４のようにＢＴＬ接続方式のデジタルアンプ１および２出力段のローパスフィルタの後段と負荷スピーカ８の間に接続することにより、デジタルアンプ１及び２から発生するコモンモードノイズを除去することができる。
【００２３】
次に、図５に、図１に示す２つのコイルを用いてＳＥＰＰ接続方式に適合するコモンモードチョークコイル２２（図７参照）を構成した場合、すなわちホビン１１とホビン１２からなる２つのコモンモードチョークコイルを電気的に分離した状態としたときの外観の斜視図を示す。２つのコ字型のコア９，１０のそれぞれのコア断面１７とコア断面１９、コア断面１８とコア断面２０を、それぞれ対向させないことにより、コア９とコア１０が分離された構成となっている。図６は、図５に示すコモンモードチョークコイルの回路図を示し、図７は、図５に示すコモンモードチョークコイルを使用したＳＥＰＰ接続方式の出力装置の回路図を示す。
【００２４】
ＳＥＰＰ接続方式時には、２本の銅線１３，１４の巻始め１３−１及び１４−１と巻終り１３−２及び１４−２、銅線１５，１６の巻始め１５−１及び１６−１と巻終り１５−２及び１６−２は夫々短絡せず、コア断面１７及び断面１９、断面１８及び断面２０を互いに接合しないようにコア１０をボビン１２の巻き軸方向（図５のＸ軸方向）にずらすことによって、図６に示すように、夫々独立した２つのコモンモードチョークコイルを得る。この際、コア９及びボビン１１及びボビン１２は固定したまま移動させない。このコモンモードチョークコイル２２を図７のようにＳＥＰＰ接続方式のデジタルアンプ１及び２の出力段のローパスフィルタ後段と負荷スピーカ６及び７のそれぞれの間に接続することにより、デジタルアンプ１及び２から発生するコモンモードノイズを除去することができる。また、コア９とコア１０を分離させることにより、２つのコモンモードチョークコイル間の結合を少なくし、チャンネル間セパレーションを確保することができる。
【００２５】
このようにホビンに巻く銅線の短絡・非短絡を設定しコアを移動させることによって、ＳＥＰＰ接続方式及びＢＴＬ接続方式両方に適合可能なコモンモードチョークコイルを実現できる。従来、３つ必要としていたコモンモードチョークコイルが２つで賄われるため、実装点数、作業工数、管理工数、部品実装面積が削減できる。
【００２６】
なおコア１０の移動方向については、本実施例では図５に示すＸ軸方向としたが、ボビン１２の内径部分を大きくすることにより、移動方向をＹ軸方向又はＺ軸方向としても同様の効果を得ることができる。また、ボビン１２の内径部分を円筒状にし、かつコア１０のボビン１２と接触する部分を円筒状にすることによって、図８のようにＸ軸を中心軸としてコア１０を９０度又は１８０度回転させることによっても同様の効果を得ることができる。コア９についても、コア１０と同様にＸ軸を中心軸としてコア１０とは逆に９０度又は１８０度回転させることによって、図９の状態にすることによりチャンネル間セパレーションはさらに向上する。ＢＴＬ接続方式に適合させるために、図８又は図９の状態から図２の状態に切替える。図１０は、このときのコア９および１０の回転を円滑に行うための構造の一例を示す図９のＸ軸方向から見たときのコア断面１７と１９、１８と２０がそれぞれ接合するときの側面図であり、上記接合面のＹＺ面内での切線２３が斜めとなるよう構成したものである。
【実施例２】
【００２７】
次に、本発明によるコモンモードチョークコイルの第２の実施例について説明する。本実施例においても、２つのコモンモードチョークコイルの基本構成は図１と同じである。但し、本実施例においては、コアとボビンの両方を移動させることによってＢＴＬ接続方式とＳＥＰＰ接続方式への対応を切り替える。ＢＴＬ接続方式に適合するコモンモードチョークコイルの構成は図２と同じである。ＳＥＰＰ接続方式に適合するコモンモードチョークコイルとしたときの外観の斜視図を図１１に示す。コア１０及びボビン１２の相対位置関係は固定したまま、それらをＸ軸方向にずらすことにより、コア９とコア１０が磁気的に分離された構成となり、図６に示したように、夫々独立した２つのコモンモードチョークコイルを得る。本実施例ではコア１０及びボビン１２の移動方向を図１１に示すＸ軸方向としたが、移動方向をＹ軸方向又はＺ軸方向としても同様の効果を得ることができる。
【実施例３】
【００２８】
上記実施例１及び実施例２では、コア９及びコア１０の形状がコ字型であったが、本実施例においてはコアの形状をロ字型としている。図１２は、本実施例におけるコモンモードチョークコイルを示す外観の斜視図であり、出力装置に使用される２つのコモンモードチョークコイルを示している。ロ字型のコア２４，２５に、それぞれボビン１１，１２が装着されて２つのコモンモードチョークコイルを構成する。実施例１と同様に、ボビン１１には、２本の銅線１３，１４が２本同時に同一巻方向に巻線されている。ボビン１２には、２本の銅線１５，１６が２本同時に同一巻方向に巻線されている。図１２において符号に−１を付加して表示しているのは、各銅線の巻始めを示し、符号に−２を付加して表示しているのは、各銅線の巻終りを示す。これら２つのコイルを用いて、コアを移動させ、かつ、銅線の接続方法を変えることにより、２つのコモンモードチョークコイルを電気的に分離された状態または電気的に結合された状態としてＳＥＰＰ接続方式とＢＴＬ接続方式とに夫々適合するコモンモードチョークコイルを得ることができる。
【００２９】
図１３に、図１２に示した２つのコイルを用いてＢＴＬ接続方式に適合するコモンモードチョークコイルを構成した場合の外観の斜視図を示す。図１２の状態のコモンモードチョークコイルの回路図は、図３と同様であり、図１２の状態のコモンモードチョークコイルを使用したＢＴＬ接続方式の出力装置の回路図は図４と同様である。
【００３０】
実施例１と同様に、２本の銅線１３，１４の巻始め１３−１及び１４−１と巻終り１３−２及び１４−２、銅線１５，１６の巻始め１５−１及び１６−１と巻終り１５−２及び１６−２を夫々短絡させ、電流容量を単一のコモンモードチョークコイルの２倍とし、かつ２つが結合され１つのコモンモードチョークコイル２１が構成されるようにしている。このコモンモードチョークコイル２１を、図４のようにＢＴＬ接続方式のデジタルアンプ１および２出力段のローパスフィルタの後段と負荷スピーカ８の間に接続することにより、デジタルアンプ１及び２から発生するコモンモードノイズを除去することができる。
【００３１】
図１４に、図１２に示した２つのコイルを用いてＳＥＰＰ接続方式に適合するコモンモードチョークコイル２２（図７参照）を構成した場合の外観の斜視図を示す。ＳＥＰＰ接続方式時には、２本の銅線１３，１４の巻始め１３−１及び１４−１と巻終り１３−２及び１４−２、銅線１５，１６の巻始め１５−１及び１６−１と巻終り１５−２及び１６−２は夫々短絡せず、コア２４と２５が互いに接合しないようにコア２５を図１４のＹ軸方向にずらすことによって、図６に示したものと同様な夫々独立した２つのコモンモードチョークコイルを得る。この際、コア２５とボビン１２は固定されている。このコモンモードチョークコイル２２を、図７のようにＳＥＰＰ接続方式のデジタルアンプ１及び２の出力段のローパスフィルタ後段と負荷スピーカ６及び７のそれぞれの間に接続することにより、デジタルアンプ１及び２から発生するコモンモードノイズを除去することができる。また、コア２４とコア２５を分離させることにより、２つのコモンモードチョークコイル間の結合を少なくし、チャンネル間セパレーションを確保することができる。
【００３２】
なお、コア２５及びボビン１２の移動方向については、本実施例３では図１４に示すＹ軸方向としたが、移動方向をＸ軸方向又はＺ軸方向としても同様の効果を得ることができる。また、ボビン１２の内径部分を円筒状にし、かつコア２５のボビン１２と接触する部分を円筒状にすることによって図１５のようにＸ軸を中心軸としてコア２５を９０度又は１８０度回転させることによっても同様の効果を得ることができる。
【００３３】
さらに、コア２４についてもコア２５と同様に、Ｘ軸を中心軸としてコア２５とは逆に９０度又は１８０度回転させることによって図１６の状態にすることにより、チャンネル間セパレーションはさらに向上する。ＢＴＬ接続方式に適合させるために、図１５又は図１６の状態から図１３の状態に切替えるが、実施例１の図１０と同様に、コア２４および２５の回転を円滑に行うため、図１６のＸ軸方向から見たときのコア２４と２５が接合するときの接合面のＹＺ面内での切線が斜めとなるよう構成してもよい。
【実施例４】
【００３４】
本実施例のコモンモードチョークコイルは、出力装置において使用される２つのコモンモードチョークコイルが電気的に分離された状態または電気的に結合された状態の両状態を選択可能とするように移動可能で、かつ上記２つのコモンモードチョークコイルのコアに磁気的に結合可能な共通コア部を設けている。
【００３５】
本実施例の基本構成の外観の斜視図を図１７に示す。実施例１の図１と同様に、コ字型のコア９，１０にそれぞれボビン１１，１２が装着されて２つのコモンモードチョークコイルを構成する。ボビン１１には、２本の銅線１３，１４が２本同時に同一巻方向に巻線されている。ボビン１２には２本の銅線１５，１６が２本同時に同一巻方向に巻線されている。本実施例においては共通コア部３３を有し、共通コア部３３は、略立方体形状のコア２６と２７を棒状の非磁性体２８の両端に設置して構成され、コア２６および２７の表面形状はそれぞれ対向して設置されるコア９，１０の断面１７，１８，１９，２０の形状とほぼ一致するように形成されている。本実施例においては共通コア部３３を移動させ、かつ、銅線の接続方法を変えることによりＳＥＰＰ接続方式とＢＴＬ接続方式とに夫々適合するコモンモードチョークコイルを得る。
【００３６】
図１８に、図１７に示した２つのコモンモードチョークコイルと共通コア部３３を用いてＢＴＬ接続方式に適合するコモンモードチョークコイルを構成した場合の外観の斜視図を示す。図１８の状態のコモンモードチョークコイルの回路図は図３と同様であり、図１８の状態のコモンモードチョークコイルを使用したＢＴＬ接続方式の出力装置の回路図は図４と同様である。
【００３７】
ＢＴＬ接続方式時には、実施例１と同様に、２本の銅線１３，１４の巻始め１３−１及び１４−１と巻終り１３−２及び１４−２、銅線１５，１６の巻始め１５−１及び１６−１と巻終り１５−２及び１６−２を夫々短絡させ、コアの断面１７及び断面２９、断面１８と断面３０、断面１９と断面３１、断面２０と断面３２を互いに接合させることにより、コア９、コア１０、コア２６、コア２７を併せて１つのロ字型の閉磁路コア構造となり、電流容量を単一のコモンモードチョークコイルの２倍とし、かつ２つが結合され１つのコモンモードチョークコイルが構成されるようにしている。このコモンモードチョークコイルは、図４の２１のようにＢＴＬ接続方式のデジタルアンプ１および２出力段のローパスフィルタの後段と負荷スピーカ８の間に接続することにより、デジタルアンプ１及び２から発生するコモンモードノイズを除去することができる。
【００３８】
図１９に、図１７に示した２つのコモンモードチョークコイルと共通コア部３３を用いてＳＥＰＰ接続方式に適合するコモンモードチョークコイルを構成した場合の外観の斜視図を示す。ＳＥＰＰ接続方式時には、２本の銅線１３，１４の巻始め１３−１及び１４−１と巻終り１３−２及び１４−２、銅線１５，１６の巻始め１５−１及び１６−１と巻終り１５−２及び１６−２は夫々短絡せず、共通コア部３３とコア９，１０が互いに接合しないように共通コア部３３をＸ軸方向にずらすことによって、図６に示したものと同様な夫々独立した２つのコモンモードチョークコイルを得る。
【００３９】
この際、コア９及びボビン１１、コア１０及びボビン１２は、固定したまま移動させない。このコモンモードチョークコイルを、図７のようにＳＥＰＰ接続方式のデジタルアンプ１及び２の出力段のローパスフィルタ後段と負荷スピーカ６及び７のそれぞれの間に接続することにより、デジタルアンプ１及び２から発生するコモンモードノイズを除去することができる。また、コア９とコア１０を分離させることにより、２つのコモンモードチョークコイル間の結合を少なくし、チャンネル間セパレーションを確保することができる。コア３３の可動方向はＺ軸方向に可動させることによっても同様の効果を得ることができる。
【００４０】
実施例４では共通コア部３３は棒状であったが、共通コア部を図２０に示すようなトロイダルリング形状にしても同様の効果が得られる。コア２６及びコア２７は、半円形の非磁性体３４，３５で保持され、トロイダルリング形状の共通コア部３６を構成する。非磁性体３４及び３５は、トロイダルリングの中心線に対して対称に位置する。共通コア部３６と図１７に示す２つのコモンモードチョークコイルとにより１つの部品と成し、共通コア部３６を移動させ、かつ、銅線の接続方法を変えることにより、ＳＥＰＰ接続方式とＢＴＬ接続方式とに夫々適合するコモンモードチョークコイルを得る。ＢＴＬ接続方式に適合させる場合は、コア２６，２７がコア９と１０の断面と接合する位置になるようにし、ＳＥＰＰ接続方式に適合させる時は、共通コア部３６をトロイダルリングの中心軸を回転軸として回転させ、コア２６，２７がコア９、１０の断面と互いに接合しないようにずらすことで同様の効果を得ることができる。
【実施例５】
【００４１】
本発明による第５の実施例のコモンモードチョークコイルの基本構成の外観の斜視図を図２１に示す。本実施例に使用するボビン１１および１２の形状およびそこに巻かれている銅線１３，１４，１５，１６およびその巻線形状は実施例１の図１に示したものと同じである。但し、本実施例においては、ホビン１１および１２を貫通するコアは１つの棒状の複合コア４０からなり、複合コア４０は直方体棒状のコア３７および３８とコア３７と３８に挟まれた直方体形状の非磁性体３９により構成されている。本実施例においては、複合コア４０を移動させ、かつ、銅線１３および１４，１５，１６の接続方法を変えることによりＳＥＰＰ接続方式とＢＴＬ接続方式とに夫々適合するコモンモードチョークコイルを得る。
【００４２】
図２２は、本実施例においてＢＴＬ接続方式に適合するコモンモードチョークコイルを構成した場合の外観の斜視図を示す。銅線１３，１４，１５，１６の結線を実施例１のＢＴＬ接続方式の場合と同様に設定し、複合コア４０を構成するコア３７がホビン１１と１２を同時に貫通する位置に複合コア４０を設置することにより、図３と同様な電流容量が２倍のコモンモードチョークとなる。このコモンモードチョークコイルを、図４のコモンモードチョークコイル２１ようにＢＴＬ接続方式の出力装置に使用し、デジタルアンプから発生するコモンモードノイズを除去することができる。
【００４３】
図２３は、本実施例においてＳＥＰＰ接続方式に適合するコモンモードチョークコイルを構成した場合の外観の斜視図を示す。銅線１３，１４，１５，１６の結線を実施例１のＳＥＰＰ接続方式の場合と同様に設定し、複合コア４０を構成する非磁性体３９がホビン１１と１２の中間に設置しコア３７及びコア３８が、それぞれホビン１１及びホビン１２の内側に位置するように複合コア４０を移動することにより、図６と同様な夫々独立した２つのコモンモードチョークコイルを得る。この際、ホビン１１と１２の相対位置は固定したまま、複合コア４０を移動させる。この２つのコモンモードチョークコイルを図７のコモンモードチョークコイル２２のようにＳＥＰＰ接続方式の出力装置に使用しデジタルアンプから発生するコモンモードノイズを除去することができる。
【００４４】
上記例においては、複合コア４０は棒状であったが、複合コアをトロイダルリング形状の複合コアとしても同様の効果が得られる。図２４は、このようなトロイダルリング形状の複合コアの一例を示す平面図である。トロイダルリング形状の複合コア４５は半円状のコア４１、４２及びそれらに挟まれた非磁性体４３，４４により構成される。非磁性体４３，４４は、互いにトロイダルリングの中心線に対して対称な位置にある。複合コア４５は図２１と同様なホビン１１と１２を貫通するように設置され、複合コア４５を移動させ、かつ、銅線の接続方法を変えることにより、ＳＥＰＰ接続方式とＢＴＬ接続方式とに夫々適合するコモンモードチョークコイルを得る。図２５および図２６は、それぞれＢＴＬ接続方式とＳＥＰＰ接続方式とに夫々適合するコモンモードチョークコイルの構成を示す平面図である。
【００４５】
ＢＴＬ接続方式に適合させる場合の複合コア４５は、図２５に示すように可動コア４５を構成するコア４２がホビン１１および１２の内側を同時に貫通する位置に設置する。ＳＥＰＰ接続方式に適合させる場合は、図２６に示すように複合コア４５を構成する非磁性体４４がホビン１１と１２の間に位置するように設置することで同様の効果を得ることができる。
【実施例６】
【００４６】
本発明による第６の実施例のコモンモードチョークコイルの基本構成の外観の斜視図を図２７に示す。本実施例に使用するボビン１１および１２の形状およびそこに巻かれている銅線１３，１４およびその巻線形状は実施例１の図１に示したものと同じである。また、実施例４の図１７と同様に２つのコモンモードチョークコイルのコアに磁気的に結合可能な共通コア部を設けている。但し本実施例においては、共通コア部４９は円柱状であり、その中心軸と並行な面により３分割され、その中央部分が磁性体４８、その両側が非磁性体４６および４７である。また、共通コア部４９はその中心軸で回転するように構成されている。また、コ字型のコア９，１０の断面１７，１８，１９，２０は蒲鉾型に凹状になっており、共通コア部４９の曲面と勘合するように成形されている。本実施例も共通コア部４９を移動させ、かつ、銅線の接続方法を変えることによりＳＥＰＰ接続方式とＢＴＬ接続方式とに夫々適合するコモンモードチョークコイルを得る。
【００４７】
図２８は、本実施例によりＢＴＬ接続方式に適合するコモンモードチョークコイルを構成した場合の外観の斜視図を示す。銅線１３，１４，１５，１６の結線を実施例１のＢＴＬ接続方式の場合と同様に設定し、コア断面１７，１８，１９、２０が可動コアの磁性体４８と接合する位置に可動コアを回転させ設置させることにより、コア９、コア１０、磁性体４８により日の字型の閉磁路コアが構成され、図３と同様な電流容量が２倍のコモンモードチョークとなる。このコモンモードチョークコイルを図４のコモンモードチョークコイル２１のようにＢＴＬ接続方式の出力装置に使用し、デジタルアンプから発生するコモンモードノイズを除去することができる。
【００４８】
図２９は、本実施例によりＳＥＰＰ接続方式に適合するコモンモードチョークコイル２２を構成した場合の外観の斜視図を示す。銅線１３，１４，１５，１６の結線を実施例１のＳＥＰＰ接続方式の場合と同様に設定し、コア断面１７、断面１８、断面１９、断面２０と磁性体４８が接合しないように共通コア部４９を回転させることで、図６と同様な夫々独立した２つのコモンモードチョークコイルを得る。この際、コア９及びボビン１１、コア１０及びボビン１２は固定したまま移動させない。この２つのコモンモードチョークコイルを、図７のコモンモードチョークコイル２２のようにＳＥＰＰ接続方式の出力装置に使用しデジタルアンプから発生するコモンモードノイズを除去することができる。
【００４９】
上記例においては共通コア部４９は磁性体を非磁性体で挟む３層構造であったが、本実施例における共通コア部は図３０のコア形状の他の例に示すように両端部だけその中心軸と並行な面により５分割され、その中央部分が磁性体５０、５１その両側が非磁性体５４、その外側が磁性体５２，５３となるように構成された円柱状の共通コア部５５であってもよい。なお、図３０では円柱の長手方向の中央部では３層構造であり中央部が非磁性体、その両側が磁性体である。
【００５０】
この場合も共通コア部５５を回転させ、かつ、銅線の接続方法を変えることによりＳＥＰＰ接続方式とＢＴＬ接続方式とに夫々適合するコモンモードチョークコイルを得る。ＢＴＬ接続方式に適合させる場合の共通コア部５５の位置は、図３１の斜視図に示すように共通コア部５５を構成する磁性体５０、５１が２つのコアの断面１７、１８、１９、２０と接合する位置に設置する。こうすることでコア９、コア１０、磁性体５０、磁性体５１によってロの字コアが形成され閉磁路構造となり図３に示す回路のコモンモードチョークコイルを得る。
【００５１】
ＳＥＰＰ接続方式に適合させる場合の共通コア部５５の位置は、図３２の斜視図に示すように共通コア部５５を構成する非磁性体を挟んだ外側の磁性体５２，５３が２つのコアの断面１７，１８，１９，２０と接合する位置に設置することで、コア９と磁性体５２、コア１０と磁性体５３によって夫々独立にロ字型のコアが形成され、閉磁路構造となり図６に示す回路と同様なコモンモードチョークコイルを得る。ＳＥＰＰ接続方式においてもコアが閉磁路構造をとるのでチャンネルセパレーションはさらに良好となる。
【００５２】
以上のように、本発明では、デジタルアンプを使用した出力装置において、接続方式を
ＳＥＰＰ接続またはＢＴＬ接続に切り替え可能で、部品点数の削減、実装面積の削減、製
造工数の削減及び生産管理工数の削減が可能で、かつ不使用オープンパターンによる不要
輻射を防止することができるコモンモードチョーク複合体及び出力装置が得られる。
【００５３】
本発明において使用するコアおよび磁性体の材料としては、金属系ダストコアやフェライトコアなどを使用でき、非磁性材料としてはプラスチックやセラミック材料などを使用できる。また、本発明に用いる出力部品としては主としてオーディオ装置に使用されるスピーカ、イヤホーン等であるがこれらに限定されるものではなく、同様な回路構成が使用される様々な出力装置に適用可能である。
【図面の簡単な説明】
【００５４】
【図１】本発明によるコモンモードチョークコイルの第１の実施例を示す外観の斜視図。
【図２】第１の実施例のＢＴＬ接続方式に適合するコモンモードチョークコイルを構成した場合の外観の斜視図。
【図３】第１の実施例のＢＴＬ接続方式に適合するコモンモードチョークコイルを構成した場合のコモンモードチョークコイルの回路図。
【図４】第１の実施例のＢＴＬ接続方式に適合するコモンモードチョークコイルを使用したＢＴＬ接続方式の出力装置の回路図。
【図５】第１の実施例のＳＥＰＰ接続方式に適合するコモンモードチョークコイルを構成した場合の外観の斜視図。
【図６】第１の実施例のＳＥＰＰ接続方式に適合するコモンモードチョークコイルを構成した場合のコモンモードチョークコイルの回路図。
【図７】第１の実施例のＳＥＰＰ接続方式に適合するコモンモードチョークコイルを使用したＳＥＰＰ接続方式の出力装置の回路図。
【図８】第１の実施例のコアを移動してＳＥＰＰ接続方式に適合するコモンモードチョークコイルを構成した場合の他の例の外観の斜視図。
【図９】第１の実施例のコアを移動してＳＥＰＰ接続方式に適合するコモンモードチョークコイルを構成した場合の他の例の外観の斜視図。
【図１０】ＢＴＬ接続方式に適合するコモンモードチョークコイルを構成した場合のコア接合部分を示す側面図。
【図１１】本発明によるコモンモードチョークコイルの第２の実施例のＳＥＰＰ接続方式に適合するコモンモードチョークコイルを構成した場合を示す外観の斜視図。
【図１２】本発明によるコモンモードチョークコイルの第３の実施例を示す外観の斜視図。
【図１３】第３の実施例のＢＴＬ接続方式に適合するコモンモードチョークコイルを構成した場合の外観の斜視図。
【図１４】第３の実施例のＳＥＰＰ接続方式に適合するコモンモードチョークコイルを構成した場合の外観の斜視図。
【図１５】第３の実施例のコアを移動してＳＥＰＰ接続方式に適合するコモンモードチョークコイルを構成した場合の他の例の外観の斜視図。
【図１６】第３の実施例のコアを移動してＳＥＰＰ接続方式に適合するコモンモードチョークコイルを構成した場合の他の例の外観の斜視図。
【図１７】本発明によるコモンモードチョークコイルの第４の実施例を示す外観の斜視図。
【図１８】第４の実施例のＢＴＬ接続方式に適合するコモンモードチョークコイルを構成した場合の外観の斜視図。
【図１９】第４の実施例のＳＥＰＰ接続方式に適合するコモンモードチョークコイルを構成した場合の外観の斜視図。
【図２０】第４の実施例において使用される共通コア部の他の形態例。
【図２１】本発明によるコモンモードチョークコイルの第５の実施例を示す外観の斜視図。
【図２２】第５の実施例のＢＴＬ接続方式に適合するコモンモードチョークコイルを構成した場合の外観の斜視図。
【図２３】第５の実施例のＳＥＰＰ接続方式に適合するコモンモードチョークコイルを構成した場合の外観の斜視図。
【図２４】第５の実施例に使用するコア形状の他の例を示す平面図。
【図２５】第５の実施例のコア形状の他の例のＢＴＬ接続方式に適合するコモンモードチョークコイルを構成した場合の外観の平面図。
【図２６】第５の実施例のコア形状の他の例のＳＥＰＰ接続方式に適合するコモンモードチョークコイルを構成した場合の外観の平面図。
【図２７】本発明によるコモンモードチョークコイルの第６の実施例を示す外観の斜視図。
【図２８】第６の実施例のＢＴＬ接続方式に適合するコモンモードチョークコイルを構成した場合の外観の斜視図。
【図２９】第６の実施例のＳＥＰＰ接続方式に適合するコモンモードチョークコイルを構成した場合の外観の斜視図。
【図３０】第６の実施例に使用するコア形状の他の例を示す斜視図。
【図３１】第６の実施例のコア形状の他の例を使用してＢＴＬ接続方式に適合するコモンモードチョークコイルを構成した場合の外観の斜視図。
【図３２】第６の実施例のコア形状の他の例を使用してＳＥＰＰ接続方式に適合するコモンモードチョークコイルを構成した場合の外観の斜視図。
【図３３】ＳＥＰＰ接続方式のデジタルアンプによる出力装置の２チャンネル分の基本回路図。
【図３４】２つのデジタルアンプを用いてＢＴＬ接続方式の出力装置の１チャンネル分を構成した場合の回路図。
【図３５】従来のＳＥＰＰ接続方式の出力装置の２チャンネル及びＢＴＬ接続方式の出力装置１チャンネルを同一基板上で構成し電気的に切替える場合の回路図。
【図３６】基板を共通化する目的で同一基板上にＳＥＰＰ接続方式での出力装置２チャンネル及びＢＴＬ接続方式の出力装置１チャンネルを実現させるため従来のコモンモードチョークコイルを用いた場合の回路図。
【符号の説明】
【００５５】
１，２    デジタルアンプ
３，４，５，２１，２２    コモンモードチョークコイル
６，７，８    負荷スピーカ
９，１０，２４，２５，２６，２７，３７，３８，４１，４２    コア
１１，１２    ボビン
１３，１４，１５，１６    銅線
１３−１，１４−１，１５−１，１６−１    巻始め
１３−２，１４−２，１５−２，１６−２    巻終り
１７，１８，１９，２０，２９，３０，３１，３２    断面
２３    切線
２８，３３，３４，３５，３９，４３，４４，４６，４７，５４    非磁性体
３３，３６，４９，５５    共通コア部
４０，４５    複合コア
４８，５０，５１，５２，５３    磁性体
Ｌ１，Ｌ２    インダクタ
Ｃ１，Ｃ２    コンデンサ
【図１】
0004817437.tif 000002
【図２】
0004817437.tif 000003
【図３】
0004817437.tif 000004
【図４】
0004817437.tif 000005
【図５】
0004817437.tif 000006
【図６】
0004817437.tif 000007
【図７】
0004817437.tif 000008
【図８】
0004817437.tif 000009
【図９】
0004817437.tif 000010
【図１０】
0004817437.tif 000011
【図１１】
0004817437.tif 000012
【図１２】
0004817437.tif 000013
【図１３】
0004817437.tif 000014
【図１４】
0004817437.tif 000015
【図１５】
0004817437.tif 000016
【図１６】
0004817437.tif 000017
【図１７】
0004817437.tif 000018
【図１８】
0004817437.tif 000019
【図１９】
0004817437.tif 000020
【図２０】
0004817437.tif 000021
【図２１】
0004817437.tif 000022
【図２２】
0004817437.tif 000023
【図２３】
0004817437.tif 000024
【図２４】
0004817437.tif 000025
【図２５】
0004817437.tif 000026
【図２６】
0004817437.tif 000027
【図２７】
0004817437.tif 000028
【図２８】
0004817437.tif 000029
【図２９】
0004817437.tif 000030
【図３０】
0004817437.tif 000031
【図３１】
0004817437.tif 000032
【図３２】
0004817437.tif 000033
【図３３】
0004817437.tif 000034
【図３４】
0004817437.tif 000035
【図３５】
0004817437.tif 000036
【図３６】
0004817437.tif 000037